(57)【特許請求の範囲】
【請求項１】
デジタルテレビ信号を処理する方法であって、
クローズドキャプションデータを有するデジタルテレビ信号を受信するステップと、
前記クローズドキャプションデータのフォーマットを判定するステップと、
判定されたフォーマットのクローズドキャプションデータを処理する優先度を選択するステップと、
前記判定されたフォーマット及び選択された優先度に従って前記クローズドキャプションデータを処理するステップと、
処理されたクローズドキャプションデータをディスプレイに表示するのに適した、受信されたデジタルテレビジョン信号と処理されたクローズドキャプションデータとから結果的に得られたテレビ信号を供給するステップと、
を含むことを特徴とする方法。
【請求項２】
前記クローズドキャプションデータを処理するステップは、
ＥＩＡ−７０８デジタルクローズドキャプションデータ規格に従ってデジタルクローズドキャプションデータを処理するステップと、
ＥＩＡ−６０８アナログクローズドキャプションデータ規格に従ってアナログクローズドキャプションデータを処理するステップとを含む、
請求項１記載の方法。
【請求項３】
前記クローズドキャプションデータを処理するステップは、
デジタルクローズドキャプション規格のフォーマットに準拠してデジタルクローズドキャプションのデータパケット用のクローズドキャプションデータと、アナログクローズドキャプション規格のフォーマットに準拠してアナログクローズドキャプションのデータパケット用のクローズドキャプションデータとを有するデジタルテレビ信号をモニタするステップを含む、
請求項１記載の方法。
【請求項４】
前記クローズドキャプションデータを有するデジタルテレビ信号を受信するステップは、クローズドキャプションデータを有するデジタルテレビ信号に同調するステップを含む、
請求項１記載の方法。
【請求項５】
クローズドキャプションデータを含むデジタルテレビ信号を受信するデジタルチューナと、
前記デジタルチューナに接続され、ビデオ信号を取得し、前記デジタルテレビ信号からクローズドキャプションデータを抽出するデジタルテレビ信号プロセッサと、
前記デジタルテレビ信号プロセッサに接続され、抽出されたクローズドキャプションデータがデジタルクローズドキャプションデータ規格に従ってフォーマットされているか、又はアナログクローズドキャプションデータ規格に従ってフォーマットされているかを判定し、判定されたフォーマットのクローズドキャプションデータを処理する優先度を選択し、前記判定されたフォーマット及び選択された優先度に従って前記抽出されたクローズドキャプションデータを処理し、前記抽出されたクローズドキャプションデータをディスプレイに表示するのに適した結果的に得られたクローズドキャプションデータ信号を供給するクローズドキャプションデータプロセッサと、
を有することを特徴とするテレビ信号受信機。
【請求項６】
前記クローズドキャプションデータプロセッサは、ＥＩＡ−７０８デジタルクローズドキャプションデータ規格に従ってデジタルクローズドキャプションデータを処理し、ＥＩＡ−７０８アナログクローズドキャプションデータ規格に従ってアナログクローズドキャプションデータを処理する、
請求項５記載のテレビ信号受信機。
【請求項７】
前記クローズドキャプションプロセッサと前記デジタルテレビ信号プロセッサとに接続され、結合されたテレビ信号をディスプレイに表示するため、前記クローズドキャプションデータプロセッサからの前記結果的に得られたクローズドキャプションデータ信号を前記デジタルテレビ信号プロセッサからのビデオ信号と結合するバッファを更に有する請求項５記載のテレビ信号受信機。
【請求項８】
前記クローズドキャプションデータプロセッサは、前記クローズドキャプションデータがデジタルクローズドキャプションデータ規格に従ってフォーマットされているか、又はアナログクローズドキャプションデータ規格に従ってフォーマットされているかを判定するため、同調されたデジタルテレビ信号を連続的にモニタする、
請求項５記載のテレビ信号受信機。
【請求項９】
クローズドキャプションデータを含むデジタルテレビ信号を受信する手段と、
前記受信する手段に接続され、受信されたデジタルテレビ信号を処理してビデオ信号を取得し、取得されたビデオ信号からクローズドキャプションデータを抽出する手段と、
前記クローズドキャプションデータを抽出する手段に接続され、抽出されたクローズドキャプションデータがデジタルクローズドキャプションデータ規格に従ってフォーマットされているか、又はアナログクローズドキャプションデータ規格に従ってフォーマットされているかを判定し、判定されたフォーマットのクローズドキャプションデータを処理する優先度を選択し、前記判定されたフォーマット及び選択された優先度に従って抽出されたクローズドキャプションデータを処理し、前記クローズドキャプションデータをディスプレイに表示するのに適した結果的に得られたクローズドキャプションデータ信号を供給する手段と、
を有することを特徴とするテレビ信号受信機。
【請求項１０】
前記結果的に得られたクローズドキャプションデータ信号を供給する手段は、
ＥＩＡ−７０８デジタルクローズドキャプションデータ規格に従ってデジタルクローズドキャプションデータを処理する手段と、
ＥＩＡ−６０８アナログクローズドキャプションデータ規格に従ってアナログクローズドキャプションデータを処理する手段とを更に含む、
請求項９記載のテレビ信号受信機。
【請求項１１】
前記結果的に得られたクローズドキャプションデータ信号を供給する手段と前記クローズドキャプションデータを抽出する手段とに接続され、前記結合されたテレビ信号をディスプレイに表示するため、前記結果的に得られたクローズドキャプションデータ信号を前記ビデオ信号と結合する手段を更に有する、
請求項９記載のテレビ信号受信機。
【請求項１２】
前記結果的に得られたクローズドキャプションデータ信号を供給する手段は、前記クローズドキャプションデータがデジタルクローズドキャプションデータ規格に従ってフォーマットされているか、又はアナログクローズドキャプションデータ規格に従ってフォーマットされているかを判定するため、同調されたデジタルテレビ信号を連続的にモニタする、
請求項９記載のテレビ信号受信機。
【請求項１３】
テレビ信号に含まれる補助情報を処理する方法であって、
補助情報を含むデジタルテレビ信号を受信するステップと、
前記補助情報のフォーマットを判定するステップと、
判定されたフォーマットの補助情報を処理する優先度を選択するステップと、
前記判定されたフォーマット及び選択された優先度に従って前記補助情報を処理するステップを含む、
ことを特徴とする方法。
【請求項１４】
テレビ信号に含まれる補助情報を処理する方法であって、
補助情報を含むデジタルテレビ信号を受信するステップと、
前記補助情報のフォーマットを判定するステップと、
判定されたフォーマットの補助情報を処理する優先度を選択するステップと、
前記判定されたフォーマット及び選択された優先度に従って前記補助情報を処理するステップと、
を含むことを特徴とする方法。
【請求項１５】
前記補助情報を処理するステップは、前記補助情報がデジタル補助情報フォーマットを有するかを判定すること、及び、デジタル補助情報フォーマットでの補助情報の処理をイネーブルにし、アナログ補助情報フォーマットでの補助情報の処理をディスエーブルにする優先度を選択することに応答して行われる、
請求項１４記載の方法。
【請求項１６】
前記選択された優先度は、ａ）前記補助情報のフォーマットがデジタル補助情報フォーマットに対応するという判定にのみ応答して、前記補助情報の処理をイネーブルにするデジタルのみの優先度と、ｂ）前記補助情報のフォーマットがアナログ補助情報フォーマットに対応するという判定にのみ応答して、前記補助情報のみの処理をイネーブルにするアナログのみの優先度と、前記デジタル又はアナログの補助情報フォーマットのいずれかでの前記補助情報の処理をイネーブルにする利用可能なフォーマットと、のうちの１つを含む請求項１４記載の方法。
【請求項１７】
前記選択された優先度は、受信された補助情報がデジタル補助情報フォーマットでの補助情報及びアナログ補助情報フォーマットでの補助情報を含むという判定に応じて、デジタル補助情報フォーマットで補助情報を処理することを含む、
請求項１４記載の方法。
【発明の詳細な説明】
【技術分野】
【０００１】
本発明は、テレビ信号処理に関し、より詳細には、デジタルテレビ信号に含まれる補助データの処理に関する。
【０００２】
この米国仮特許出願は、“Ｄｉｇｉｔａｌ／Ａｎａｌｏｇ  Ｃｌｏｓｅｄ  Ｃａｐｔｉｏｎ  Ｓｙｓｔｅｍ”と題された２００３年１２月８日に提出された米国仮特許出願シリアル番号６０／５２７，９４５号の利益及び／又は優先権を主張するものであり、その全体の内容は、引用により本明細書に特に盛り込まれる。
【背景技術】
【０００３】
米国における大部分のテレビ信号処理システムは、アナログテレビ信号（たとえばＮＴＳＣ）で搬送されるクローズドキャプション（ＣＣ）データのような補助情報の処理を提供する。クローズドキャプションデータのような補助情報は、アナログテレビ信号において補助データを提供するための規格を確立するＥＩＡ（Ｅｌｅｃｔｒｏｎｉｃ  Ｉｎｄｕｓｔｒｉｅｓ  Ａｓｓｏｃｉａｔｉｏｎ：アメリカ電子機械工業会）−６０８に従う。アナログテレビ信号処理システムは、アナログテレビ信号からクローズドキャプションデータを抽出し、クローズドキャプション情報を表示するのに適した信号を発生する。他の補助情報の形式も存在する。たとえば、ＸＤＳ（Ｅｘｔｅｎｄｅｄ  Ｄａｔａ  Ｓｅｒｖｉｃｅ）情報は、プログラムコンテンツレーティングデータ、プログラムタイトル、プログラムデュレーション等のような情報を提供するため、アナログテレビ信号に含まれる場合がある。
【０００４】
デジタルテレビ信号（たとえばＡＴＳＣ）に関して、ＥＩＡ−７０８は、デジタルテレビ信号にクローズドキャプション（ＣＣ）データ及びＸＤＳデータのような補助データを設けるための規格を確立する。しかし、アナログプログラミング（すなわちアナログテレビ信号）からデジタルプログラミング（すなわちデジタルテレビ信号）への遷移により、テレビ信号サービスプロバイダは、デジタルプログラミングでデジタルクローズドキャプションデータを常に提供することができない。このため、テレビ信号プロバイダは、アナログクローズドキャプションデータをデジタルプログラミングに変換する場合がある。このアナログクローズドキャプションデータのデジタルプログラミングでの転送をサポートするため、デジタルテレビ信号サービスプロバイダは、アナログクローズドキャプションデータを特定のヘッダをもつデジタルテレビプログラムストリームに単に埋め込む。ＥＩＡ−７０８Ｂは、デジタルテレビストリームに埋め込まれたＥＩＡ−６０８クローズドキャプションデータをどのように検出するかを記載しているので、デジタルテレビストリームからアナログクローズドキャプションデータ（すなわちＥＩＡ−６０８ＣＣデータ）を検出及び表示することが可能である。
【０００５】
テレビジョンのなかには、表示用にデジタル又はアナログキャプションのいずれかを選択するオプションをユーザに提供するものがある。ユーザがアナログキャプションを選択し、アナログキャプションを利用可能ではない場合、テレビジョンはクローズドキャプションを表示しない。同様に、ユーザがデジタルキャプションを選択し、デジタルキャプションが利用可能ではない場合、テレビジョンは、クローズドキャプションを表示しない。現在のところ、クローズドキャプションデータがアナログ形式であるかデジタル形式であるかに係らず、デジタルテレビチャネルについてクローズドキャプションデータを常に表示するやり方が存在しない。
【発明の開示】
【発明が解決しようとする課題】
【０００６】
したがって、先の記載から、デジタルテレビ信号でデジタル又はアナログ補助データが利用可能であるかを検出し、次いでどの補助データフォーマットが利用可能であっても表示の処理を行うデジタルテレビ信号のテレビ信号処理システムが必要とされることは明らかである。  
これらの必要及び他の必要は、本発明の原理の用途を通して達成され、及び／又は本明細書に図示及び／又は記載されるような１以上の各種形式及び／又は構成で実施される。
【課題を解決するための手段】
【０００７】
テレビ信号受信機は、デジタル補助データがデジタルテレビ信号に存在するとき、デジタル補助情報又はデータの処理、又はアナログ補助信号がデジタルテレビ信号に存在するとき、アナログ補助情報又はデータの処理を含むデジタルテレビ信号の処理を提供する。テレビ信号受信機は、処理された補助データ又は情報を表示するのに適した結果的に得られるテレビ信号を提供する。
【０００８】
１つの形態では、デジタルテレビ信号を処理する方法が提供される。本方法は、（ａ）クローズドキャプションデータを有するデジタルテレビ信号を受信するステップ、（ｂ）受信されたデジタルテレビ信号のクローズドキャプションデータがデジタルクローズドキャプション規格のフォーマットであると判定された場合に、デジタルクローズドキャプションデータ規格に従ってクローズドキャプションデータを処理し、受信されたデジタルテレビ信号のクローズドキャプションデータがアナログクローズドキャプション規格のフォーマットであると判定された場合に、アナログクローズドキャプションデータ規格に従ってクローズドキャプションデータを処理するステップ、（ｃ）受信されたデジタルテレビ信号とディスプレイに処理されたクローズドキャプションデータを表示するのに適した処理されたクローズドキャプションデータとから結果的に得られるテレビ信号を提供するステップを含む。
【０００９】
別の形態では、本発明は、テレビジョン信号に含まれる補助情報を処理する方法を含み、補助情報を含むデジタルテレビ信号を受信するステップ、補助情報のフォーマット及び補助情報のフォーマット処理の優先度に従って補助情報を処理するステップを含んでいる。本方法は、補助情報のフォーマットを決定するステップ、及び補助情報のフォーマットを処理する優先度を選択するステップを含む。
【００１０】
選択された優先度は、補助情報がデジタル補助情報フォーマットを含むかを判定すること、デジタル補助情報における補助情報の処理をイネーブル“ｅｎａｂｌｅ”にし、アナログ補助情報フォーマットにおける補助情報の処理をディスエーブル“ｄｉｓａｂｌｅ”にする優先度を選択することに応答して、補助情報の処理ステップが行われるようである場合がある。代替的に、選択された優先度は、ａ）補助情報のフォーマットがデジタル補助情報フォーマットに対応するかを判定することに応答して、補助情報のみを処理するのをイネーブルにするためのデジタルのみの優先度、ｂ）補助情報のフォーマットがアナログ補助情報フォーマットに対応するかを判定することに応答して、補助情報の処理をイネーブルにするアナログのみの優先度、及びｃ）デジタル又はアナログ補助情報フォーマットのうちのいずれかで補助情報の処理をイネーブルにする利用可能な優先度、のうちの１つを含む場合がある。
【発明を実施するための最良の形態】
【００１１】
添付図面において、対応する参照符号は、幾つかの図面を通して対応するエレメントを示している。  
図１を参照して、本発明が実施される場合がある概括的に参照符号２０で示されるテレビ信号受信機の例示的な表現が示されている。テレビ信号受信機２０は、各種タイプの受信機及び／又はデジタルテレビ信号を受信及び／処理する装置の表現である。はじめに、テレビ信号受信機２０は、デジタルテレビ信号及び受信されたデジタルテレビ信号に含まれ又は埋め込まれる補助データの処理に関して本明細書で記載され、テレビ信号受信機２０は、補助データを伴って、及び補助データを伴うことなしにアナログテレビ信号を受信かつ処理する場合がある。さらに、テレビ信号受信機２０は、補助データを伴うことなしに、デジタルテレビ信号を受信かつ処理するために作用する。テレビジョン２０は、本明細書で図示及び／又は記載されない、テレビ信号受信機を適切に機能するのに典型的及び／必要な各種テレビジョン装置をも含むと理解される。
【００１２】
テレビ信号受信機２０は、デジタルテレビ信号源２６からデジタルテレビ信号を受信するために構成されるデジタルテレビ信号入力２４を有する。デジタルテレビ信号入力２４は、デジタルテレビ信号源２６からデジタルテレビ信号を受信するためにコンフィギュア及び／又は適合されて作用可能な如何なるタイプのデジタルテレビ信号入力である場合がある。入力２４は、デジタルテレビ信号チューナ２８に接続される。デジタルテレビ信号チューナ２８は、デジタルテレビ信号を受信し、特定のデジタルテレビ信号、チャネル又は周波数に同調するために適合及び／又はコンフィギュアされて作用可能である。デジタルチューナ２８のチューニングは、当該技術分野で公知のやり方で達成される。デジタルテレビソース２６により提供されるデジタルテレビ信号は複数のデジタルテレビチャネルを含むことが典型的であるが、本明細書で使用される用語「デジタルテレビ信号」は、１以上のデジタルテレビチャネルを包含している。
【００１３】
また、テレビジョン信号受信機２０は、デジタルテレビ信号を処理するために適合及び／又はコンフィギュアされて作用可能であるデジタルテレビ信号プロセッサ３０を含む。かかるように、デジタルシグナルプロセッサ３０は、１以上の集積回路及び／又は回路エレメントとして埋め込まれるデジタルテレビ信号回路／ロジックを含む。さらに、デジタルテレビ信号プロセッサ３０は、信号処理の一部又は全部の態様についてプログラム命令（たとえばソフトウェア）４２を利用する場合がある。デジタルテレビ信号プロセッサ３０は、デジタルテレビ信号チューナ２８により選局（同調）されたデジタルテレビ信号を受信するため、デジタルテレビチューナ２８の出力に接続される。
【００１４】
デジタルテレビ信号プロセッサ３０は、他の特徴及び／又は機能のなかでもとりわけ、チューナ２８から受信されたデジタルテレビ信号からビデオ信号を組み立てるために作用する。結果的に得られるビデオ信号は、バッファ４０に供給され、ディスプレイ２２に表示可能なフォーマットである。さらに、デジタルテレビ信号プロセッサ３０は、デジタルテレビ信号から補助データを分析、抽出及び／又は分離するために作用する。特に、デジタルテレビ信号プロセッサ３０は、デジタルテレビ信号からクローズドキャプションデータの形式で補助データを取得するために作用する。取得されたクローズドキャプションデータ（信号）は、クローズドキャプションデータプロセッサ３２に供給される。
【００１５】
クローズドキャプションデータプロセッサ３２は、デジタルテレビ信号プロセッサ３０から受信されたクローズドキャプションデータを処理するために適合及び／又はコンフィギュアされて作用する。かかる処理は、クローズドキャプションデータがデジタルテレビチューナ２８により出力されたテレビ信号に関してデジタルテレビ信号プロセッサ３０から受信されたかを検出すること、クローズドキャプショニングを得るためのクローズドキャプションデータを処理すること、及びクローズドキャプションデータ信号を連続的に監視することを含んでいる。以下に更に説明されるように、クローズドキャプションデータ信号の連続的な監視は、デジタルクローズドキャプションデータフォーマット又は規格及びアナログクローズドキャプションデータフォーマット又は規格に関するクローズドキャプションデータ信号の処理を切替えるために達成される。デジタルテレビ信号プロセッサ３０は、好ましくは、クローズドキャプションデータ信号処理の一部又は全部の態様についてプログラム命令４２を利用する場合がある。
【００１６】
本発明の原理によれば、クローズドキャプションデータプロセッサ３２は、デジタルクローズドキャプションデータプロセッサ３４及びアナログクローズドキャプションデータプロセッサ３６の両者を含む。デジタルクローズドキャプションデータプロセッサ３４は、デジタルフォーマットである（すなわちデジタルクローズドキャプションパケットを有する）クローズドキャプションデータのためのクローズドキャプション処理を提供するために適合及び／又はコンフォギュアされて作用され、アナログクローズドキャプションデータプロセッサ３６は、アナログフォーマットである（すなわちアナログクローズドキャプションパケットを有する）クローズドキャプションデータのためのクローズドキャプション処理を提供するために適合及び／又はコンフィギュアされて作用される。クローズドキャプションデータプロセッサ３２は、どのフォーマットでクローズドキャプションデータが受信されたかを判定し、適切な処理のためにデジタルクローズドキャプションデータプロセッサ３４又はアナログクローズドキャプションデータプロセッサ３６の適切な１つを利用する。したがって、クローズドキャプションデータプロセッサ３２は、クローズドキャプションデータがデジタル形式であるかアナログ形式であるかを判定し、次いで、結果的に得られるクローズドキャプション信号を提供するため、これに応じてクローズドキャプションデータを処理することが可能である。
【００１７】
デジタルクローズドキャプションデータプロセッサ３４は、規格ＥＩＡ−７０８で現在実施されているデジタルクローズドキャプション規格又はフォーマットに従って、デジタルクローズドキャプションデータを処理する。アナログクローズドキャプションプロセッサ３６は、規格ＥＩＡ−６０８で現在実施されているアナログクローズドキャプション規格又はフォーマットに従ってアナログクローズドキャプションデータを処理する。勿論、両方のプロセッサ３４，３６は、他の規格又はフォーマットに従ってそれぞれの信号を処理する場合がある。
【００１８】
クローズドキャプションデータプロセッサ３２の出力（クローズドキャプショニング信号又は処理されたクローズドキャプション信号）は、バッファ４０に供給される。バッファ４０、又は同じ機能を提供する他のコンポーネントは、デジタルテレビ信号プロセッサ３０から受信されたビデオ信号をクローズドキャプションから受信されたクローズドキャプショニング信号と結合する。次いで、結果的に得られる信号は、ディスプレイがビデオ及びクローズドキャプショニングを表示するディスプレイ２２に供給される。ディスプレイ２２は、ディスプレイ２２を囲む破線により表現されるように、テレビ信号受信機２０と統合される場合、統合されない場合があることを理解されたい。
【００１９】
また、テレビ信号受信機２０は、各種ユーザ選択可能なオプション、チョイス又はセレクションを有するメニューの形式でオンスクリーンユーザインタフェース（ＵＩ）を提供するために作用する。これは、プログラムインストラクション４２と共にオンスクリーンジェネレータ３８を介して達成される。ユーザメニューは、ユーザにより交換可能又は設定可能なテレビジョンの特徴及び／又は機能へのアクセスを提供し、そのうちの幾つかは、当該技術分野で典型的及び公知である。しかし、本発明の態様によれば、１つのかかる特徴は、クローズドキャプション処理の優先度のセレクションである。
【００２０】
図２を更に参照して、例示的なクローズドキャプションの優先度オプションメニュー５２を示す例示的なユーザインタフェース５０を有するディスプレイ２２が示されている。クローズドキャプション優先度のオプションメニュー５２により、ユーザは、テレビ信号受信機２０のためのクローズドキャプション処理の優先度を選択可能である。特定のクローズドキャプションの優先度の選択は、テレビ信号受信機２０に本実施の形態で提供されるように実行させる。３つの優先度の処理オプションと、メインメニュー又はサブメニュー（図示せず）に戻るための“ＥＸＩＴ”セレクションとを有するメニュー５２が示される。
【００２１】
第一のクローズドキャプションの優先度のセレクションは、“１）Ｄｉｇｉｔａｌ  Ｏｎｌｙ”とラベル付けされ、受信されたデジタルテレビ信号におけるクローズドキャプションがデジタル規格フォーマットにあるときにのみ、クローズドキャプショニング処理されてディスプレイ２２に提供されるモードにデジタルテレビ信号受信機２０を設定する。したがって、クローズドキャプションプロセッサ３０は、デジタルテレビ信号プロセッサ２０をデジタルクローズドキャプションプロセッサ３４に受信されたクローズドキャプションデータを提供する。このモードは、アナログクローズドキャプション規格のフォーマットにある場合にクローズドキャプショニングを無視する。勿論、デジタルテレビ信号にクローズドキャプションデータがない場合、かかる処理又はその表示は不可能である。
【００２２】
第二のクローズドキャプションの優先度のセレクションは、“２）Ａｎａｌｏｇ  Ｏｎｌｙ”とラベル付けされ、受信されたデジタルテレビ信号におけるクローズドキャプションデータがアナログ規格のフォーマットであるときにのみ、クローズドキャプションが処理されディスプレイ２２に提供されるモードにデジタルテレビ信号受信機２０を設定する。したがって、クローズドキャプションプロセッサ３２は、デジタルテレビ信号プロセッサ３０からアナログクローズドキャプションプロセッサ３６に受信されたクローズドキャプションデータを提供する。このモードは、デジタルクローズドキャプション規格のフォーマットである場合に、クローズドキャプショニングを無視する。さらに、勿論、デジタルテレビ信号においてクローズドキャプションデータがない場合、かかる処理及びその表示は不可能である。
【００２３】
第三のクローズドキャプションの優先度のモードは、“３）Ａｎｙ  Ａｖａｉｌａｂｌｅ”とラベル付けされ、受信されたデジタルテレビ信号がデジタル規格のフォーマット又はアナログ規格のフォーマットにあるかに関わらず、クローズドキャプショニングが処理されてディスプレイ２２に提供されるモードにデジタルテレビ受信機２０を設定する。クローズドキャプションデータプロセッサ３２は、（必ずしも受信された信号をモニタした後ではないが）受信されたクローズドキャプションデータがデジタル又はアナログであるかに関する判定をなし、次いで、クローズドキャプションデータを適切なプロセッサ（すなわち、デジタルクローズドキャプションデータプロセッサ３４又はアナログクローズドキャプションデータプロセッサ３６のいずれか）に供給する。さらに、勿論、デジタルテレビ信号にクローズドキャプションデータが存在しない場合、かかる処理又はその表示は不可能である。
【００２４】
デジタルを第一に見て次いでアナログを第二に見る優先度、すなわち両タイプの補助情報が受信されているときにアナログ補助情報の前に最初にデジタル補助情報を優先的に処理することは、任意であり、アナログを第一にデジタルを第二にとすることも生じる場合がある。両方のタイプが受信されたとき、補助情報の１つのタイプ又はフォーマットのこの優先的な処理は、ユーザが選択可能であり、たとえば、デフォルト又はフォールバックコンディションがデジタルフォーマットであるのをはじめに選択するか、又はフォールバックがアナログフォーマットであるのをはじめに選択する。さらに、ラベル及びメニュー５２のその順序は、任意であり、その機能は関係している。
【００２５】
ここで図３を参照して、概括的に参照符号１００で示される本発明の原理に係るテレビ信号受信機２０によるクローズドキャプション処理の動作の例示的なやり方に関するフローチャートが示されている。フローチャート１００で提供されるクローズドキャプション処理の例示的な方式は、ステップ又はブロックとして提供される。ステップ１０２では、デジタルテレビ信号受信機２０は、デジタルテレビ信号受信機がデジタルテレビチャネルに同調されるかを判定する。テレビ信号受信機がアナログテレビ信号をも受信かつ処理する場合、テレビ信号受信機はデジタルチャネルに同調されない場合がある。このケースでは、“ＮＯ”はデジタルテレビ信号が同調されておらず、プログラムフローがステップ１０４に進むことを示している。アナログテレビ信号が同調されているものとする。ステップ１０４では、アナログクローズドキャプション（ＣＣ）がオンされているか、すなわちイネーブルにされているとする。アナログクローズドキャプションがイネーブルにされていない場合（すなわち“ＮＯ”）、プログラムフローはステップ１０６で終了する。アナログクローズドキャプションがオンにされている（すなわち“ＹＥＳ”）場合、プログラムフローは、ステップ１０８に進む。ステップ１０８では、アナログＣＣデータパケットがモニタされている。ステップ１１０では、アナログＣＣデータパケットが受信されているかが判定される。アナログＣＣデータパケットが受信されていない（すなわち“ＮＯ”）場合、プログラムフローはステップ１１２に進み、この場合、クローズドキャプション（ＣＣ）の表示がない。しかし、ＣＣデータパケットが受信されていると判定された場合（すなわち“ＹＥＳ”）、プログラムフローはステップ１１４に進む。ステップ１１４では、アナログクローズドキャプションがディスプレイに提供される。
【００２６】
ステップ１０２では、デジタルテレビチャネルが同調されていると判定されている場合（すなわち“ＹＥＳ”）、プログラムフローはステップ１１６に進む。ステップ１１６は、ユーザがセレクションメニュー５２（図２参照）を介して選択したクローズドキャプションの優先度のオプションのチェックを開始する。特に、ステップ１１６では、アナログのみのクローズドキャプションの優先度のセレクションがなされているかが判定される。ユーザが“Ａｎａｌｏｇ  Ｏｎｌｙ”のチョイスを選択した場合（すなわち“ＹＥＳ”）、プログラムフローは、ステップ１０８に進む。ステップ１０８からのプログラムフローは、先に記載されたように進む。しかし、“Ａｎａｌｏｇ  Ｏｎｌｙ”がクローズドキャプションのセレクションではないとステップ１１６で判定された場合（すなわち“ＮＯ”）、プログラムフローステップ１１８に進む。ステップ１１８は、ユーザがセレクションメニュー５２を介して選択したクローズドキャプションの優先度のオプションのチェックでの更なるステップである。
【００２７】
ステップ１１８では、デジタルのみのクローズドキャプションの優先度が選択されたと決定された場合（すなわち“ＹＥＳ”）、プログラムフローはステップ１２２に進む。特に、プログラムフローはステップ１１２ａに進み、ここでデジタルクローズドキャプションのデータパケットのモニタリングが実行される。その後、（ステップ１２４の）ステップ１２４ａでは、デジタルクローズドキャプションデータパケットが受信されたかが判定される。デジタルクローズドキャプションデータパケットが受信された場合（すなわち“ＹＥＳ”）、プログラムフローはステップ１２６に進み、デジタルクローズドキャプションがディスプレイに表示される。デジタルＣＣデータパケットが受信されていないとステップ１２４ａで判定された場合（すなわち“ＮＯ”）、プログラムフローはステップ１１２に進み、ここでクローズドキャプションが表示されない。
【００２８】
しかし、ステップ１１８で、“Ｄｉｇｉｔａｌ  Ｏｎｌｙ”が選択されていないと判定された場合、プログラムフローはステップ１２０に進む。ステップ１２０は、ユーザがセレクションメニュー５２を介して選択したクローズドキャプションの優先度のオプションのチェックにおける最後のステップである。特に、ステップ１２０では、ユーザがいずれか利用可能なクローズドキャプションの優先度又はデジタル／アナログフォールバックを選択したかが判定される。フォールバック又はデフォルトモードは、たとえばアナログ及びデジタル補助情報フォーマットが受信された場合にシステムがデジタル情報を処理するといった、デジタル及びアナログ補助情報フォーマットのうちの１つを優先的に処理することを提供する場合がある。フォールバックモードの間の動作、すなわちシステムが優先的にアナログ情報を処理するか又はデジタル情報を処理するかは、ユーザが選択可能である場合がある。“Ａｎｙ  Ａｖａｉｌａｂｌｅ”セレクションが行われない場合（すなわち“ＮＯ”）、プログラムフローはステップ１０２に戻る。ユーザが“Ａｎｙ  Ａｖａｉｌａｂｌｅ”をクローズドキャプションの優先度のメニュー５２から選択した場合（すなわち“ＹＥＳ”）、プログラムフローは、ステップ１２２のステップ１２２ｂに進む。特に、ステップ１２２ｂでは、デジタルクローズドキャプションのデータパケットがモニタされる。なお、フォールバック又は“Ａｎｙ  Ａｖａｉｌａｂｌｅ”モードにおけるデフォルト動作状態がユーザセレクタブルで行われた場合、ユーザは、ステップ１２０での“ＹＥＳ”の後の処理が図３に示されるようなステップ１２２ｂ（デジタルフォーマット情報の優先的な処理）、又はステップ１０８（アナログフォーマット情報の優先的な処理）で継続する。その後、ステップ１２４のステップ１２４ｂでは、デジタルクローズドキャプションデータパケットが受信されているかが判定される。クローズドキャプションデータパケットが受信された場合（すなわち“ＹＥＳ”）、デジタルクローズドキャプションがステップ１２６でディスプレイに示される。しかし、デジタルクローズドキャプションのデータパケットが受信されていない場合（すなわち“ＮＯ”）、ステップ１１２でクローズドキャプションの表示がない。
【００２９】
フローチャート１００を通して、特にステップ１１２，１１４又は１２６を通した実行の後、プログラムフローは同調されたテレビ信号の連続的なモニタリングのためにステップ１０２に戻ることが理解される。先に記載され、図３に示されたフローチャート１００は、本実施の形態で記載されたデジタルテレビ信号受信機２０の例示的な動作の完全なやり方を提供することが更に理解される。しかし、それぞれのステップは、本発明の実現のために必ずしも必要ではない。本発明は、フローチャート１００の全てのステップよりも少ないステップを利用して実現される場合がある。これは、請求項で反映される場合がある。プロシジャー１００の代替的な実施の形態におけるステップの多かれ少なかれは、本明細書で引用された原理に従って本発明を実現する場合がある。同様に、先のプロシジャー１００のサブセットは、全体の手順よりはむしろ本発明の原理を実現する場合がある。バリエーションもまた考案される。
【００３０】
本発明は好適な設計を有するとして記載されたが、本発明はこの開示の精神及び範囲でさらに変更することができる。本出願は、その一般的な原理を使用して本発明の如何なるバリエーション、使用、適合をカバーすることが意図される。さらに、本出願は、本発明が属する技術分野であって、特許請求の範囲の制限にある技術分野における公知又は一般的な実施にあるような、この開示からの逸脱をカバーすることが意図される。
【図面の簡単な説明】
【００３１】
【図１】本発明が実施される場合がある例示的なテレビ信号処理装置のブロック図である。
【図２】本発明の原理的な態様に係るクローズドキャプションの優先度の処理の選択の例示的なオンスクリーンメニューの記載である。
【図３】本発明の原理に係る本発明の態様の動作の例示的なやり方のフローチャートである。
【図１】
0004751833.tif 000002
【図２】
0004751833.tif 000003
【図３】
0004751833.tif 000004